(57)【要約】【課題】視認性を確保することができ、しかもデザイン性に優れた表示も行うことも可能な表示装置を備えたエレベータを提供する。【解決手段】乗り場及びかごに設けられた呼び登録装置（５、１５、３５、４５）と、乗り場及びかごの少なくとも一方に設けられ、エレベータの運行情報の表示を行う表示装置（１、１１）と、呼び登録装置への入力に基づいて表示装置の表示を通常表示から代替表示に切り替えるか否かの判定を行う表示切り替え判定部（２２）と、表示切り替え判定部の判定結果に基づいて表示装置の表示を切り替える表示処理部（４、１４）とを備える。【選択図】図１
2012056690.tif 000002
【特許請求の範囲】
【請求項１】
乗り場及びかごに設けられた呼び登録装置と、
前記乗り場及び前記かごの少なくとも一方に設けられ、エレベータの運行情報の表示を行う表示装置と、
前記呼び登録装置への入力に基づいて前記表示装置の表示を通常表示から代替表示に切り替えるか否かの判定を行う表示切り替え判定部と、
前記表示切り替え判定部の判定結果に基づいて前記表示装置の表示を切り替える表示処理部と、
を備えたことを特徴とするエレベータ装置。
【請求項２】
前記呼び登録装置の操作者の身長を検出する身長検出装置をさらに備え、
前記表示切り替え判定部は、前記呼び登録装置への入力及び前記身長検出装置での身長検出結果に基づいて、前記表示装置の表示を通常表示から代替表示に切り替えるか否かの判定を行う
ことを特徴とする請求項１に記載のエレベータ装置。
【請求項３】
エレベータ利用者を識別するための個人識別装置をさらに備え、
前記表示切り替え判定部は、前記個人識別装置によって個人識別情報を取得した場合に、前記個人識別情報に基づいて前記表示装置の表示を通常表示から代替表示に切り替えるか否かの判定を行う
ことを特徴とする請求項１に記載のエレベータ装置。
【請求項４】
前記呼び登録装置は、メイン呼び登録装置及び前記メイン呼び登録装置よりも相対的に低い位置に設置されたサブ呼び登録装置を含み、
前記表示切り替え判定部は、前記サブ呼び登録装置への入力が行われた場合に、前記表示装置の表示を通常表示から代替表示に切り替えるとの判定を行う
ことを特徴とする請求項１に記載のエレベータ装置。
【請求項５】
前記表示装置は液晶表示装置を含む
ことを特徴とする請求項１に記載のエレベータ装置。
【発明の詳細な説明】
【技術分野】
【０００１】
本発明の実施形態は、エレベータ装置に関する。
【背景技術】
【０００２】
近年、エレベータの表示装置（乗り場表示装置、かご表示装置）に液晶表示装置を用いたものが増えてきている。液晶表示装置は、多彩な色表示やきめ細かな表示を行うことが可能であり、デザイン性に優れている。その一方、液晶表示装置は、視野角依存性があり、斜め方向から表示を見た場合に表示色が変わって見え、表示内容を読み取り難くなるといった問題がある。例えば、灰色の背景に白色の文字を表示した場合、斜め方向から表示を見ると、灰色と白色との違いがわかり難くなり、文字を読み取り難くなるといった問題が生じる。
【先行技術文献】
【特許文献】
【０００３】
【特許文献１】特開２０００−２９３１１８号公報
【発明の概要】
【発明が解決しようとする課題】
【０００４】
上述したように、液晶表示装置は視野角依存性があるため、車椅子利用者や子供などの低視線利用者からは表示が見難くなる傾向にある。すなわち、通常は大人の背の高さに合わせて表示装置が設置されているために、低視線利用者からは表示が見難くなってしまう。そのため、多彩な色表示やきめ細かな表示を行うと、低視線利用者からは視認性が悪くなるという問題がある。一方、視認性を確保するために配色等を考慮したコントラストの高い表示を行おうとすると、液晶表示装置のメリットであるデザイン性の自由度が損なわれてしまうという問題がある。
【０００５】
このように、低視線利用者からの視認性を確保することができ、しかもデザイン性に優れた表示を行うことが可能なエレベータ用の表示装置を得ることは困難であった。
【０００６】
したがって、視認性を確保することができ、しかもデザイン性に優れた表示も行うことも可能な表示装置を備えたエレベータが求められている。
【課題を解決するための手段】
【０００７】
実施形態に係るエレベータ装置は、乗り場及びかごに設けられた呼び登録装置と、前記乗り場及び前記かごの少なくとも一方に設けられ、エレベータの運行情報の表示を行う表示装置と、前記呼び登録装置への入力に基づいて前記表示装置の表示を通常表示から代替表示に切り替えるか否かの判定を行う表示切り替え判定部と、前記表示切り替え判定部の判定結果に基づいて前記表示装置の表示を切り替える表示処理部と、を備える。
【図面の簡単な説明】
【０００８】
【図１】第１の実施形態に係るエレベータ装置の構成を示したブロック図である。
【図２】実施形態に係るエレベータ装置のかご内の構成を模式的に示した図である。
【図３】実施形態に係るエレベータ装置の乗り場の構成を模式的に示した図である。
【図４】第２の実施形態に係るエレベータ装置の構成を示したブロック図である。
【図５】第２の実施形態に係り、身長検出装置として用いる人感センサの設置位置について模式的に示した図である。
【図６】第２の実施形態に係り、身長検出装置として用いる人感センサの設置位置について模式的に示した図である。
【図７】第３の実施形態に係るエレベータ装置の構成を示したブロック図である。
【発明を実施するための形態】
【０００９】
以下、実施形態を図面を参照して説明する。
【００１０】
（実施形態１）
図１は、本実施形態に係るエレベータ装置の構成を示したブロック図である。図２は本実施形態に係るエレベータ装置のかご内の構成を模式的に示した図であり、図３は本実施形態に係るエレベータ装置の乗り場の構成を模式的に示した図である。
【００１１】
図２に示すように、エレベータのかご８には、エレベータの運転方向やエレベータの現在階などのエレベータの運行情報の表示を行うかご表示装置１が設けられている。このかご表示装置１には液晶表示装置が用いられており、視野角依存性を有している。また、エレベータのかご８には、かごメイン呼び登録装置５及びかごサブ呼び登録装置３５が設けられており、これらの呼び登録装置を操作することで行き先階を登録することができる。かごサブ呼び登録装置３５は、車椅子利用者や子供などの低視線利用者が操作しやすいように、かごメイン呼び登録装置５よりも相対的に低い位置に設置されている。また、かご８の前面にはかごドア６が配置されている。
【００１２】
図３に示すように、エレベータの乗り場には、エレベータの運転方向やエレベータの現在階などのエレベータの運行情報の表示を行う乗り場表示装置１１が設けられている。この乗り場表示装置１１にも液晶表示装置が用いられており、視野角依存性を有している。また、エレベータの乗り場には、乗り場メイン呼び登録装置１５及び乗り場サブ呼び登録装置４５が設けられており、これらの呼び登録装置を操作することでかご８を呼ぶことができる。乗り場サブ呼び登録装置４５は、低視線利用者が操作しやすいように、乗り場メイン呼び登録装置１５よりも相対的に低い位置に設置されている。また、乗り場の前面には乗り場ドア１６が配置されている。
【００１３】
次に、図１のブロック図を参照して、本実施形態に係るエレベータ装置の全体構成及び動作について説明する。
【００１４】
エレベータ伝送制御装置２１は、エレベータの制御情報の伝送を行うものである。このエレベータ伝送制御装置２１には、エレベータの制御情報の送受信を行うためのかご伝送装置７及び乗り場伝送装置１７が接続されている。
【００１５】
かご伝送装置７は、かごメイン呼び登録装置５及びかごサブ呼び登録装置３５からの入力信号の監視と、かごメイン呼び登録装置５及びかごサブ呼び登録装置３５への登録応答用のランプ点灯信号の出力を行う。また、かご伝送装置７は、かご表示装置１のかご表示処理部４へのエレベータ制御情報の送信や、かご表示処理部４からの表示処理実行完了などのステータス信号の受信を行っている。
【００１６】
乗り場伝送装置１７は、乗り場メイン呼び登録装置１５及び乗り場サブ呼び登録装置４５からの入力信号の監視と、乗り場メイン呼び登録装置１５及び乗り場サブ呼び登録装置４５への登録応答用のランプ点灯信号の出力を行う。また、乗り場伝送装置１７は、乗り場表示装置１１の乗り場表示処理部１４へのエレベータ制御情報の送信や、乗り場表示処理部１４からの表示処理実行完了などのステータス信号の受信を行っている。
【００１７】
かご表示装置１は、かご通常表示データ２及びかご代替表示データ３を有している。また、乗り場表示装置１１は、乗り場通常表示データ１２及び乗り場代替表示データ１３を有している。
【００１８】
上述した各表示データには、伝送装置から受信したエレベータ制御情報に応じてディスプレイ上に表示される表示データが含まれている。例えば、エレベータ制御情報としてエレベータが上昇中であることを示す信号を受信した場合に、上向きの矢印をディスプレイ上のどの位置にどのような配色で表示するかを指定するデータが、表示データとして登録されている。
【００１９】
かご通常表示データ２及び乗り場通常表示データ１２としては、多彩な色表示やきめ細かな表示といった液晶表示装置の特性を生かした表示を行うためのデータが用いられる。大人の背の高さに合わせて液晶表示装置が設置されているため、上述したような通常表示データを用いた表示を大人が立った状態で良好に視認することができる。その一方、上述したような通常表示データを用いた表示の場合、低視線利用者からは良好な視認性が得られ難くなっている。
【００２０】
かご代替表示データ３及び乗り場代替表示データ１３としては、低視線利用者からも良好に視認することが可能な表示用のデータが用いられる。具体的には、エレベータの運転方向や現在階などの運行情報を単色で表示するためのデータが表示データとして登録されている。例えば、黒背景に白文字といったコントラストの高い表示で、且つ大きな記号やフォントで表示を行うためのデータが、表示データとして登録されている。
【００２１】
エレベータ伝送制御装置２１は、呼び登録装置（かごメイン呼び登録装置５、乗り場メイン呼び登録装置１５、かごサブ呼び登録装置３５、乗り場サブ呼び登録装置４５）への入力に基づいて表示装置の表示を通常表示から代替表示に切り替えるか否かの判定を行う表示切り替え判定部２２を備えている。通常の状態では、通常表示が選択されており、かご通常表示データ２や乗り場通常表示データ１２を用いた表示が行われる。かごサブ呼び登録装置３５や乗り場サブ呼び登録装置４５が操作されると（かごサブ呼び登録装置３５や乗り場サブ呼び登録装置４５への入力が行われると）、表示切り替え判定部２２は代替表示に切り替える旨の判定を行う。判定結果は表示処理部（かご表示処理部４、乗り場表示処理部１４）に送信され、表示処理部では判定結果に基づいて表示装置の表示を切り替える（表示データを切り替える）。その結果、かご代替表示データ３や乗り場代替表示データ１３が選択され、かご代替表示データ３や乗り場代替表示データ１３を用いた表示が行われる。
【００２２】
以下、代替表示を行う際の動作について説明する。
【００２３】
かごサブ呼び登録装置３５或いは乗り場サブ呼び登録装置４５をエレベータ利用者が操作すると、かご伝送装置７或いは乗り場伝送装置１７はその出力信号を検出し、エレベータ伝送制御装置２１に検出信号を出力する。エレベータ伝送制御装置２１の表示切り替え判定部２２は、検出信号が発生した場所に設置されている表示装置で表示切り替え処理を実行する旨の判定をする。エレベータ伝送制御装置２１は、表示切り替え判定部２２で表示切り替えを行うと判定した表示装置に対して表示切り替え信号を送信する。表示切り替え信号は、かご伝送装置７や乗り場伝送装置１７を経由して、かご表示装置１や乗り場表示装置１１に伝送される。
【００２４】
表示切り替え信号を受信したかご表示装置（かご表示装置１、乗り場表示装置１１）では、表示処理部（かご表示処理部４、乗り場表示処理部１４）によって表示データが通常表示データから代替表示データに切り替えられ、表示画面上に代替表示が行われる。
【００２５】
入力のあった全ての呼び登録装置に対する応答運転が終了した後、表示装置の表示は通常表示に戻る。すなわち、エレベータの利用者がいなくなった場合に通常表示に戻る。なお、通常表示から代替表示へ表示が切り替わってから一定時間が経過した後に通常表示に戻るようにしてもよい。
【００２６】
以上のように、本実施形態では、かごサブ呼び登録装置３５や乗り場サブ呼び登録装置４５への入力があった場合に、表示装置の表示を通常表示から通常表示よりも視認性に優れた代替表示に切り替える。そのため、液晶表示装置のような視野角依存性を有する表示装置を用いた場合でも、車椅子利用者や子供などの低視線利用者に対して視認性の優れた表示を行うことができる。その一方、通常の状態では、多彩な色表示やきめ細かな表示といったデザイン性に優れた表示を行うことができる。その結果、低視線利用者からの視認性を確保することができ、しかもデザイン性に優れた表示も行うことが可能なエレベータ用の表示装置を得ることができる。
【００２７】
（実施形態２）
図４は、第２の実施形態に係るエレベータ装置の構成を示したブロック図である。なお、基本的な構成は図１に示した第１の実施形態の構成と同様である。また、かご内及び乗り場の基本的な構成も図２及び図３に示した構成と同様である。したがって、第１の実施形態で説明した事項については説明を省略する。
【００２８】
本実施形態では、呼び登録装置の操作者の身長を検出する身長検出装置（かご身長検出装置２３、乗り場身長検出装置２４）を設け、表示切り替え判定部が、呼び登録装置への入力及び身長検出装置での身長検出結果に基づいて、表示装置の表示を通常表示から代替表示に切り替えるか否かの判定を行うようにしている。以下、具体的に説明する。
【００２９】
第１の実施形態では、かごサブ呼び登録装置３５や乗り場サブ呼び登録装置４５が操作された場合には、低視線利用者が操作したものと判断して、表示装置の表示を通常表示から代替表示に切り替えるようにした。ところが、かごサブ呼び登録装置３５や乗り場サブ呼び登録装置４５を低視線利用者ではない一般の利用者が操作する場合もある。
【００３０】
そこで、本実施形態では、かごサブ呼び登録装置３５の近傍にかご身長検出装置２３を設け、乗り場サブ呼び登録装置４５の近傍に乗り場身長検出装置２４を設け、これらの身長検出装置によってサブ呼び登録装置の操作者の身長を検出するようにしている。身長検出装置には人感センサなどを用い、サブ呼び登録装置のよりも高い位置で人体の検出を行うことができるようにしている。
【００３１】
図５及び図６は、身長検出装置（かご身長検出装置２３或いは乗り場身長検出装置２４）として用いる人感センサの設置位置について模式的に示した図である。図５に示すように、低視線利用者の場合には人体信号は検出されないが、図６に示すように、低視線利用者ではない一般の利用者の場合には人体信号が検出される。
【００３２】
表示切り替え判定部２２では、かごサブ呼び登録装置３５が操作されると、かご身長検出装置２３から人体検出信号の有無を受信する。人体検出信号が有る場合には、低視線利用者ではない一般の利用者が操作したものと判断され、表示切り替え処理は実行されない。人体検出信号が無い場合には、低視線利用者が操作したものと判断され、通常表示から代替表示への表示切り替え処理が実行される。乗り場についても同様であり、乗り場サブ呼び登録装置４５が操作されたとき、人体検出信号が有る場合には表示切り替え処理は実行されず、人体検出信号が無い場合には表示切り替え処理が実行される。
【００３３】
このように、本実施形態では、身長検出装置を設けることにより、サブ呼び登録装置への操作入力があった場合でも、低視線利用者ではない一般の利用者が操作した場合には代替表示への切り替えは行わずに、低視線利用者が操作した場合にのみ代替表示への切り替えを行うことができる。したがって、低視線利用者からの視認性を確保することができ、しかもデザイン性に優れた表示を行うことが可能なエレベータ用の表示装置を、より的確に実現することが可能である。
【００３４】
なお、かごメイン呼び登録装置５や乗り場メイン呼び登録装置１５からの操作入力があったときに、かご身長検出装置２３や乗り場身長検出装置２４が人体検出信号を検出していない場合には、かごメイン呼び登録装置５や乗り場メイン呼び登録装置１５を操作した者が低視線利用者であって且つ車椅子利用者でないものと判断してもよい。すなわち、かごメイン呼び登録装置５や乗り場メイン呼び登録装置１５を操作した者が子供であるとの判断をしてもよい。この場合には、表示装置に表示されている漢字表示をひらがな表示やカタカナ表示に変更するようにしてもよい。
【００３５】
（実施形態３）
図７は、第３の実施形態に係るエレベータ装置の構成を示したブロック図である。なお、基本的な構成は図１及び図４に示した第１及び第２の実施形態の構成と同様である。また、かご内及び乗り場の基本的な構成も図２及び図３に示した構成と同様である。したがって、第１及び第２の実施形態で説明した事項については説明を省略する。
【００３６】
本実施形態では、エレベータ利用者を識別するための個人識別装置（かご個人識別装置６１、乗り場個人識別装置６２）を設け、表示切り替え判定部は、個人識別装置によって個人識別情報を取得した場合に、取得した個人識別情報に基づいて表示装置の表示を通常表示から代替表示に切り替えるか否かの判定を行うようにしている。以下、具体的に説明する。
【００３７】
かご個人識別装置６１或いは乗り場個人識別装置６２は、個人識別カード等からエレベータ利用者の個人識別情報を取得すると、取得した個人識別情報を表示切り替え判定部２２へ送信する。表示切り替え判定部２２では、受信した個人識別情報に含まれている個人情報に基づき、表示切り替え処理を行うか否かを判定する。
【００３８】
例えば、取得した個人情報から車椅子利用者であることがわかった場合には、表示装置の表示を通常表示から視認性に優れた代替表示へと切り替える。また、取得した個人情報から車椅子利用者等の低視線利用者ではないことがわかった場合には、表示装置の表示はデザイン性に優れた通常表示とする。
【００３９】
個人識別情報を取得した場合には、操作された呼び登録装置（かごメイン呼び登録装置５、乗り場メイン呼び登録装置１５、かごサブ呼び登録装置３５、乗り場サブ呼び登録装置４５）の如何にかかわらず、個人識別情報を優先して表示装置の表示を決定する。
【００４０】
なお、個人識別情報を取得しない場合には、第１の実施形態や第２の実施形態等と同様に、操作された呼び登録装置や身長検出装置の検出結果に基づいて表示装置の表示が決定される。
【００４１】
以上のように、本実施形態では、個人識別装置を設けることにより、個人識別装置へ入力された個人識別情報に基づいて、通常表示から代替表示への切り替えの要否を判断することができる。したがって、車椅子利用者や子供などの低視線利用者からの視認性を確保することができ、しかもデザイン性に優れた表示を行うことが可能なエレベータ用の表示装置を、より的確に実現することが可能である。
【００４２】
なお、かご代替表示データ３や乗り場代替表示データ１３として予め複数の表示パターンのデータを設定しておき、取得した個人識別情報毎に適切な表示パターン（例えば、個人毎に個人専用の表示パターン）を表示するようにしてもよい。
【００４３】
以上述べた第１乃至第３の実施形態によれば、視認性を確保することができ、しかもデザイン性に優れた表示も行うことが可能な表示装置を備えたエレベータを得ることが可能である。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１…かご表示装置      ２…かご通常表示データ
３…かご代替表示データ      ４…かご表示処理部
５…かごメイン呼び登録装置      ６…かごドア
７…かご伝送装置      ８…かご
１１…乗り場表示装置      １２…乗り場通常表示データ
１３…乗り場代替表示データ      １４…乗り場表示処理部
１５…乗り場メイン呼び登録装置      １６…乗り場ドア
１７…乗り場伝送装置
２１…エレベータ伝送制御装置      ２２…表示切り替え判定部
２３…かご身長検出装置      ２４…乗り場身長検出装置
３５…かごサブ呼び登録装置      ４５…乗り場サブ呼び登録装置
６１…かご個人識別装置      ６２…乗り場個人識別装置
【図１】
2012056690.tif 000003
【図２】
2012056690.tif 000004
【図３】
2012056690.tif 000005
【図４】
2012056690.tif 000006
【図５】
2012056690.tif 000007
【図６】
2012056690.tif 000008
【図７】
2012056690.tif 000009